(57)【要約】【課題】本発明は、視覚効果が優れるバックライトタッチボタンモジュールを提供することを目的とする。【解決手段】本発明に係る電気コネクタは、タッチボタン回路基板と、前記タッチボタン回路基板に設置されている光源、表示板及び反射板と、を備え、前記反射板は、前記光源に近接して設けられている光学収容凹所を有し、前記光学収容凹所は、反射部を有し、前記タッチボタン回路基板は、前記反射部に対応して設けられている貫通孔を有し、前記反射部は、底面と、前記底面の両端のうち前記光源に近接する一端に連続している第一反射面と、前記底面の両端のうち前記光源から遠い他端に連続している第二反射面を有し、前記底面は、平面であり、前記第一反射面及び前記第二反射面は、前記底面に対して傾斜されている。【選択図】図２
2011096639.tif 000002
【特許請求の範囲】
【請求項１】
タッチボタン回路基板と、前記タッチボタン回路基板に設置されている光源と、前記タッチボタン回路基板を挟んで互いに対向する表示板及び反射板と、を備えるバックライトタッチボタンにおいて、
前記反射板は、前記光源に近接して設けられている光学収容凹所を有し、
前記光学収容凹所は、反射部を有し、
前記タッチボタン回路基板は、前記反射部に対応して設けられている貫通孔を有し、
前記反射部は、底面と、前記底面の両端のうち前記光源に近接する一端に連続している第一反射面と前記底面の両端のうち前記光源から遠い他端に連続している第二反射面とを有し、
前記底面は、平面であり、前記第一反射面及び前記第二反射面は、前記底面に対して傾斜されていることを特徴とするバックライトタッチボタン。
【請求項２】
前記第一反射面と前記底面との傾斜角が、前記第二反射面と前記底面との傾斜角より大きいことを特徴とする、請求項１に記載のバックライトタッチボタン。
【請求項３】
前記光学収容凹所は、前記光源を収容し且つ前記反射部と連通している収容部をさらに備えることを特徴とする、請求項１に記載のバックライトタッチボタン。
【請求項４】
前記底面には、ストライプ溝構造が形成されていることを特徴とする、請求項３に記載のバックライトタッチボタン。
【請求項５】
前記バックライトタッチボタンは、前記光学収容凹所に設けられている光散乱片をさらに備えることを特徴とする、請求項３に記載のバックライトタッチボタン。
【請求項６】
前記反射板は、長尺状の板材であり、前記反射板には、長手方向の中心線に対して非対称的に２つの位置決め柱が形成されており、前記タッチボタン回路基板には、前記２つの位置決め柱にそれぞれ対応する２つの位置決め孔が設けられていることを特徴とする、請求項１〜５の何れか一項に記載のバックライトタッチボタン。
【発明の詳細な説明】
【技術分野】
【０００１】
本発明は、バックライトタッチボタンに関し、特にコンデンサー型バックライトタッチボタンに関するものである。
【背景技術】
【０００２】
従来のバックライトタッチボタンは、プリント回路基板、光源、導光板及び前記プリント回路基板に設けられた表示板を備える。前記導光板及び光源は、前記プリント回路基板と前記表示板との間に設けられ、前記光源は、前記導光板の一側に設けられる。前記プリント回路基板の前記導光板に近接する側の表面に反射層が塗布され、前記表示板に透明的な表示パターンが印刷されている。前記光源が出射する光線は、前記導光板を介して前記表示板の表示パターンに入射されるか、或いは前記プリント回路基板の反射層によって反射されてから前記表示板の表示パターンに入射されて、前記表示パターンを照らす。従って、ユーザは、たとえ暗い状況でも、タッチボタンの位置を正確的に探すことができる。前記プリント回路基板は感応領域を有するため、ユーザが、前記感応領域に近付くか、或いは前記感応領域をタッチした場合、前記感応領域の静電容量値或いはインダクタンス値などのような物理量が変化し、これによって、前記バックライトタッチボタンは反応する。
【０００３】
しかし、前記バックライトタッチボタンの光源が前記導光板の一側に位置するため、前記光源から出射された光線は、前記導光板の前記光源に近接する光出射領域では輝度が高く、前記導光板の前記光源に遠ざかる光出射領域では輝度が低い。従って、前記バックライトタッチボタンには視覚効果が悪いという問題が存在する。
【発明の概要】
【発明が解決しようとする課題】
【０００４】
前記課題を解決するために、本発明は、視覚効果が優れるバックライトタッチボタンモジュールを提供することを目的とする。
【課題を解決するための手段】
【０００５】
本発明に係る電気コネクタは、タッチボタン回路基板と、前記タッチボタン回路基板に設置されている光源と、前記タッチボタン回路基板を挟んで互いに対向する表示板及び反射板と、を備え、前記反射板は、前記光源に近接して設けられている光学収容凹所を有し、前記光学収容凹所は、反射部を有し、前記タッチボタン回路基板は、前記反射部に対応して設けられている貫通孔を有し、前記反射部は、底面と、前記底面の両端のうち前記光源に近接する一端に連続している第一反射面と、前記底面の両端のうち前記光源から遠い他端に連続している第二反射面とを有し、前記底面は、平面であり、前記第一反射面及び前記第二反射面は、前記底面に対して傾斜されている
【発明の効果】
【０００６】
従来の技術と比べると、本発明に係るバックライトタッチボタンは、反射板を備え、前記反射板には、光源が出射する光線を表示板に反射する光学収容凹所が設けられており、前記光学収容凹所は、底面、前記光源に近接する第一反射面及び前記光源から遠い第二反射面を備え、前記第一反射面及び前記第二反射面は、底面に対して傾斜して設けられ、前記第一反射面は、光源の部分の光線を光源から遠い領域に反射し、前記第二反射面は、光源から遠い領域の光線を転向して出射させ、従って、光源から遠い領域の光出射強度が向上されて、前記バックライトタッチボタンの全体の出射光輝度が均一になるので、優れた視覚の効果が得られる。
【図面の簡単な説明】
【０００７】
【図１】本発明に係るバックライトタッチボタンの組立て図である。
【図２】本発明に係るバックライトタッチボタンの分解図である。
【図３】本発明に係るバックライトタッチボタンの他の視角からの分解図である。
【図４】図１に示したバックライトタッチボタンのＩＶ−ＩＶに沿う断面図である。
【図５】図４に示したバックライトタッチボタンの局部拡大図である。
【発明を実施するための形態】
【０００８】
以下、図面を参照して、本発明の実施例について説明する。
【０００９】
図１乃至図３を参照すると、本発明に係るバックライトタッチボタン２００は、６つの貫通孔２１１が設けられているタッチボタン回路基板２１と、前記タッチボタン回路基板２１の同じ表面の各貫通孔２１１に近接する所に設置されている６つの光源２３と、１つの反射板２５と、１つの表示板２７と、を備える。前記タッチボタン回路基板２１は、長尺状の電気容量感応式電気回路板である。前記タッチボタン回路基板２１の各貫通孔２１１の周囲の領域は、感応領域であり、ユーザが前記感応領域に近付くか、或いは前記感応領域をタッチした時、前記感応領域の静電容量値が変化し、それによって、前記タッチボタン回路基板２１は反応する。前記光源は、発光ダイオードである。前記反射板２５は、長尺状の板材であり、光反射材料（例えば、白いプラスチック）からなる。他の実施例においては、前記反射板２５は、通常の材料で成型した後、光反射材料をこれに塗布して形成することもできる。
【００１０】
前記反射板２５には、６つの光学収容凹所２５３が設けられている。各光学収容凹所２５３は、前記光源２３から出射された光線を反射する反射部２５３１と、前記反射部２５３１と連通しており且つ前記光源２３を収容する収容部２５３３を備える。各反射部２５３１は、前記タッチボタン回路基板２１の貫通孔２１１のそれぞれに対応される。前記反射部２５３１によって反射された光線は、前記貫通孔２１１から出射される。前記反射板２５は、両面粘着テープを介して前記タッチボタン回路基板２１の光源が設置されている表面に粘着され、従って、各光源２３は、各光学収容凹所２５３の収容部２５３３のそれぞれに収容される。各光学収容凹所２５３の反射部２５３１は、前記タッチボタン回路基板２１の各貫通孔２１１に対応する。他の実施例において、前記反射板２５と前記タッチボタン回路基板２１との固定方法は、上述した方法だけに限定されず、他の固定方法（例えば、ネジなどの連接部品を利用して固定する）によって固定されることもできる。
【００１１】
前記表示板２７は、不透明な本体２７１と、前記本体２７１の内部にそれぞれ嵌設され且つ前記タッチボタン回路基板２１の貫通孔２１１のそれぞれに対応する６つの光透過可能な表示パターン２７３と、前記本体２７１の外縁から湾曲延伸されて形成された側壁２７５と、を備える。前記表示板２７は、前記タッチボタン回路基板２１の前記反射板２５から離れている表面に固定される。各表示パターン２７３は、各貫通孔２１１に対応する。前記側壁２７５は、固定過程で位置決め役割を果たす。前記光源２３から出射された一部分の光線は、前記貫通孔２１１から前記表示板２７の表示パターン２７３に直接伝達され、他の部分の光線は、前記光学収容凹所２５３の反射部２５３１によって反射された後、前記貫通孔２１１を通して前記表示パターン２７３に伝達される。従って、ユーザは、暗い状況でも前記表示パターン２７３の位置を正確に認識することができる。前記表示パターン２７３をタッチすると、前記タッチボタン回路基板２１の前記貫通孔２１１の周囲の感応領域は、ユーザの操作に反応する。
【００１２】
図４及び図５を参照すると、前記反射部２５３１は、順次に連接する第一反射面２５３４、底面２５３５及び第二反射面２５３７を備える。その中で、前記底面２５３５は、平面であり、前記第一反射面２５３４及び第二反射面２５３７は、前記底面２５３５に対して傾斜されている。本実施例において、前記第一反射面２５３４と前記底面２５３５との傾斜角は、４５度であり、前記第二反射面２５３７と前記底面２５３５との傾斜角は、３０度である。
【００１３】
前記光源２３が発光する時、前記光源２３の点Ａを例として、点Ａから出射した一部分の光線は、前記貫通孔２１１から直接出射されて前記表示板２７の表示パターン２７１に伝達される。他の部分の光線は、前記反射部２５３によって反射された後、前記貫通孔２１１から前記表示板２７の表示パターン２７１に伝達される。その中で、前記反射部２５３の第一反射面２５３４及び底面２５３５に伝達された光線は、前記貫通孔２１１の前記光源から遠い位置に反射されるので、前記貫通孔２１１の前記光源に近接する領域の光出射強度が低減される。前記第二反射面２５３７に伝達された光線は、前記第二反射面２５３７によって反射して転向され、前記貫通孔２１１から出射されるので、前記貫通孔２１１の前記光源２３から遠い領域での光出射強度が向上される。結果として、前記貫通孔２１１の全体の領域における光出射強度が、均一になり、視覚効果が優れた前記表示パターン２７１得られる。前記表示パターン２７１を完全に照らすように、前記表示パターン２７１の位置及びサイズに基づいて、前記第一反射面２５３４及び前記第二反射面２５３７の長さ及び傾斜角を調整することができる。また、前記貫通孔２１１の出射光の均一性をさらに増加させるために、前記底面２５３５には、ストライプ溝構造を形成することもできる。これによって、光線が前記底面２５３５で乱反射され得る。また、本発明のバックライトタッチボタン２００は、導光板を使用しないため、コストが低減される。
【００１４】
本発明において、前記反射板２５には、２つの位置決め柱２５５（図２のように）がさらに設けられており、前記タッチボタン回路基板２１には、前記位置決め柱２５５のそれぞれに対応する２つの位置決め孔２１５が設けられている。前記２つの位置決め柱２５５は、前記反射板２５の両端に位置しており、且つ前記反射板２５５の長手方向の中心線（図には示せず）に対して非対称である。このような前記反射板２５を前記タッチボタン回路基板２１に装着する場合、前記位置決め柱２５５が前記位置決め孔２１５に挿入される。組立人が不正確に前記反射板２５を装着しようとすると、前記位置決め柱２５５と前記位置決め孔２１５とは、結合されないので、組立人による誤組立を防止することができる。
【００１５】
本発明において、前記光学収容凹所２５３には、光拡散シートがさらに設けられることもできる。前記光拡散シートの形状と前記光学収容凹所２５３の形状とは、同じである。前記光拡散シートを前記光学収容凹所２５３の第一反射面２５３４、底面２５３５及び第二反射面２５３５に取り付けることで、前記光学収容凹所２５３が反射する光線は、前記光拡散シートによって散乱されてから出射するので、出射光の均一性がさらに向上される。
【００１６】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００１７】
２００  バックライトタッチボタン
２１    タッチボタン回路基板
２１１  貫通孔
２１５  位置決め孔
２３  光源
２５  反射板
２５３  光学収容凹所
２５３１  反射部
２５３３  収容部
２５３４  第一反射面
２５３５  底面
２５３７  第二反射面
２５５  位置決め柱
２７  表示板
２７１  本体
２７３  表示図案
２７５  側壁
【図１】
2011096639.tif 000003
【図２】
2011096639.tif 000004
【図３】
2011096639.tif 000005
【図４】
2011096639.tif 000006
【図５】
2011096639.tif 000007